(57)【要約】【課題】３Ｄテレビ用シャッタ眼鏡装置は、眼鏡開閉データの未受信期間に応じて、眼鏡開口期間をより狭く変換し、クロストークを避ける。【解決手段】眼鏡開閉データを入力し、液晶シャッタ部のシャッタを開閉制御する装置であって、眼鏡開閉データ受信確認部と、眼鏡開閉データメモリ部と、眼鏡開口期間変換部を備え、眼鏡開閉データ受信確認部は、前記眼鏡開閉データの受信状態を確認し、眼鏡開閉データメモリ部は、前期眼鏡開閉データを記憶し、眼鏡開閉データ眼鏡開口期間変換部は、一定期間、前記眼鏡開閉データの受信が無い場合、前記眼鏡開閉データ中の、左眼開口期間と、右眼開口期間に相当するデータを狭く変換することを特徴とする液晶シャッタ眼鏡の駆動装置。【選択図】図１
2013165305.tif 000002
【特許請求の範囲】
【請求項１】
眼鏡開閉データを入力し、液晶シャッタ部のシャッタを開閉制御する装置であって、眼鏡開閉データ受信確認部と、眼鏡開閉データメモリ部と、眼鏡開口期間変換部を備え、
眼鏡開閉データ受信確認部は、前記眼鏡開閉データの受信状態を確認し、
眼鏡開閉データメモリ部は、前期眼鏡開閉データを記憶し、
眼鏡開閉データ眼鏡開口期間変換部は、一定期間、前記眼鏡開閉データの受信が無い場合、前記眼鏡開閉データ中の、左眼開口期間と、右眼開口期間に相当するデータを狭く変換することを特徴とする液晶シャッタ眼鏡。
【請求項２】
送信された眼鏡の開閉タイミングを示す第１の眼鏡開閉データに基づいて、シャッタ眼鏡の開閉制御を行うシャッタ眼鏡装置であって、
前記第１の眼鏡開閉データの有無又は正常なデータが入力されたか否かを判別する受信確認部と、
前記第１の眼鏡開閉データを記憶するメモリ部と、
前記受信確認部の判別結果に基づいて、前記メモリ部に記憶された前記第１の眼鏡開閉データの開閉タイミングを変更し、第２の眼鏡開閉データとして出力する変換部と、
前記第１の眼鏡開閉データ又は前記第２の眼鏡開閉データのいずれかに基づいてシャッタの開閉を制御するシャッタ部とを備えたことを特徴とするシャッタ眼鏡装置。
【請求項３】
前記変換部は、前記受信確認部において、前記第１の眼鏡開閉データが入力されていない時間間隔及び正常なデータが入力されていない時間間隔を計測し、所定時間間隔以上の場合に、前記第１の眼鏡開閉データの開閉タイミングを変更し、前記第２の眼鏡開閉データとして出力することを特徴とする請求項２記載のシャッタ眼鏡装置。
【請求項４】
前記変換部は、前記受信確認部において、前記第１の眼鏡開閉データが入力されていない時間間隔及び正常なデータが入力されていない時間間隔を計測し、計測した時間間隔に応じて、前記第１の眼鏡開閉データの開閉タイミングを変更し、前記第２の眼鏡開閉データとして出力することを特徴とする請求項２記載のシャッタ眼鏡装置。
【請求項５】
前記第２の眼鏡開閉データは、右眼用又は左目用のいずれかの映像が表示されている時間内に、前記シャッタ部における前記表示されている映像に対応した、右眼用又は左眼用のシャッタの開閉が終了する開閉タイミングであることを特徴とする請求項２から４のいずれかに記載のシャッタ眼鏡装置。
【発明の詳細な説明】
【技術分野】
【０００１】
本発明は、３Ｄテレビ信号処理装置に係り、３Ｄテレビ用シャッタ眼鏡の開口期間制御に関する。
【背景技術】
【０００２】
従来より、液晶シャッタ眼鏡におけるシャッタタイミングを示す信号が遮られても、シャッタ動作を維持し得る液晶シャッタ眼鏡の駆動方法が開示されている（例えば、特許文献１等）。
【先行技術文献】
【特許文献】
【０００３】
【特許文献１】特開平１１−９８５３８号公報
【発明の概要】
【発明が解決しようとする課題】
【０００４】
しかしながら、シャッタタイミングを示す信号が遮られる期間が、一定期間を超えると、右眼に左眼用の映像が入り画質品位を下げる（以下、クロストークと記述）現象が発生する。図５を用いて、従来技術での課題を説明する。
【０００５】
図５は、３Ｄテレビ（図示せず）の映像と本実施の形態に係る３Ｄテレビ用シャッタ眼鏡装置における液晶シャッタの開閉を示したものである。図５中のカッコ内の数値は、時間を示している。
【０００６】
３Ｄテレビ（図示せず）の右眼映像表示５０１の表示時に、右眼映像表示５０１と同期を合わせるように右眼Open５１１と右眼Close５１２信号を３Ｄテレビ（図示せず）から送信している。３Ｄテレビ用シャッタ眼鏡装置１０は、右眼Open５１１と右眼Close５１２を受信し右眼液晶シャッタ（図示せず）の開閉を制御している。３Ｄテレビ用シャッタ眼鏡装置は、シャッタタイミングを示す信号が受信時には、受信時５２０の動作タイミングで右眼液晶シャッタオープンを制御する。さらに、３Ｄテレビ用シャッタ眼鏡装置は、シャッタタイミングを示す信号未受信期間が１秒のときは、未受信期間１秒５３０の動作タイミングで右眼液晶シャッタオープンを制御する。図５では、シャッタタイミングを示す信号の未受信期間が１秒の時に、３Ｄテレビ（図示せず）と３Ｄテレビ用シャッタ眼鏡装置のずれ幅を（１１Ｔ）と仮定している。
【０００７】
さらに、３Ｄテレビ用シャッタ眼鏡装置は、シャッタタイミングを示す信号の未受信期間が１１秒の時、未受信期間１１秒５４０の動作タイミングで右眼液晶シャッタオープンを制御する。未受信期間１１秒５４０の右眼液晶シャッタオープンタイミングの右端（１１Ｔ）は、クロストーク期間で、右眼シャッタオープン時に左眼映像表示４０２が重畳し、画質品位を下げるものである。
【０００８】
そこで、本出願では、上記のような課題に鑑み、より好ましい３Ｄテレビ用の液晶シャッタ制御方式を施して、クロストークを避けることを目的とする。
【課題を解決するための手段】
【０００９】
本発明の３Ｄテレビ用シャッタ眼鏡装置は、眼鏡開閉データを入力し、液晶シャッタ部のシャッタを開閉制御する装置であって、眼鏡開閉データ受信確認部と、液晶シャッタ部と、眼鏡開閉データメモリ部と、眼鏡開口期間変換部と、眼鏡自走部とを備える。
【００１０】
眼鏡開閉データ受信確認部は、眼鏡開閉データの受信状態を確認する。眼鏡開閉データメモリ部は、眼鏡開閉データを記憶する。
【００１１】
一定期間、眼鏡開閉データの受信が無い場合、眼鏡開閉データ眼鏡開口期間変換部は、眼鏡開閉データの中の、左眼開口期間と、右眼開口期間を狭く変換する。眼鏡自走部は、眼鏡開閉データの受信が無い場合に、眼鏡開閉メモリ部に記憶された眼鏡開閉データより、眼鏡開閉データを作成する。液晶シャッタ部は、入力される眼鏡開閉データに基づいて、液晶シャッタの開閉を行なう。
【発明の効果】
【００１２】
このような構成により、眼鏡開閉データの未受信時期間が一定以上でもクロストークを避けることができ、画質品位を落とすことがない。
【図面の簡単な説明】
【００１３】
【図１】本発明の実施の形態１に係る３Ｄテレビ用液晶シャッタ装置の構成を示す図
【図２】実施の形態１に係る３Ｄテレビ用液晶シャッタ装置の眼鏡開閉データメモリ部に記憶される眼鏡開閉データの１例を示す図
【図３】実施の形態１に係る３Ｄテレビ用液晶シャッタ装置の眼鏡開口期間変換部のフローチャート
【図４】実施の形態１に係る３Ｄテレビ用液晶シャッタ装置の眼鏡開口期間変換部における効果を示す図
【図５】従来技術の課題を示す図
【図６】実施の形態１に係る３Ｄテレビ用液晶シャッタ装置の眼鏡開口期間変換部における効果を示す図
【図７】実施の形態１に係る３Ｄテレビ用液晶シャッタ装置の眼鏡開口期間変換部における効果を示す図
【発明を実施するための形態】
【００１４】
以下、本発明の実施の形態について、図面を用いて説明する。
【００１５】
（実施の形態１）
本発明の一実施の形態に係る３Ｄテレビ用シャッタ眼鏡装置について説明する。図１は、本実施の形態に係る３Ｄテレビ用シャッタ眼鏡装置１０の構成図である。図１に示すように、３Ｄテレビ用シャッタ眼鏡装置１０は、眼鏡開閉データ受信確認部１１０と、眼鏡開閉データメモリ部１１１と、眼鏡開口期間変換部１１２と、眼鏡自走部１１３と、液晶シャッタ部１１４とを備えている。３Ｄテレビ用シャッタ眼鏡装置１０は、眼鏡開閉データ１２０を入力し、液晶シャッタ部１１４の液晶シャッタを制御する。以下、この３Ｄテレビ用シャッタ眼鏡装置１０の構成について詳細に説明する。
【００１６】
眼鏡開閉データ受信確認部１１０は、眼鏡開閉データ１２０を入力する。この眼鏡開閉データ１２０は、液晶シャッタ部１０４の開閉を制御する信号で、例えば、左眼液晶シャッタオープン、左眼液晶シャッタクローズ、右眼液晶シャッタオープン、右眼液晶シャッタクローズを含んだ信号である。眼鏡開閉データ受信確認部１１０は、上記の眼鏡開閉データ１２０の受信状態を確認する。眼鏡開閉データ受信確認部１１０は、眼鏡開閉データ１２０が受信状態と判断した場合は、液晶シャッタ部１１４に、眼鏡開閉データ１２３を送信と、眼鏡開閉データメモリ部１１１に、眼鏡開閉データ１２１を送信する。眼鏡開閉データ受信確認部１１０は、眼鏡開閉データ１２０が未受信状態と判断した場合は、眼鏡開口期間変換部１１２に対して、起動命令１２２を送信する。
【００１７】
なお、上述した実施の形態においては、眼鏡開閉データ１２０を受信したか否かについて説明したが、本願発明はこれに限定されるものではなく、例えば、眼鏡開閉データ１２０を受信した場合であっても、その眼鏡開閉データ１２０が誤りであるような場合には、上述した眼鏡開閉データ１２０が未受信状態と判断する構成を採用することも可能である。この際、眼鏡開閉データ１２０が誤りであるか否かの判別は、それまでに３Ｄテレビ用シャッタ眼鏡装置１０が受信した眼鏡開閉データ１２０と比較して、番組の変更等が行われていないにもかかわらず、明らかに異なるタイミングを眼鏡開閉データ１２０が指定しているような場合に、眼鏡開閉データ１２０は誤りであると判別する。
【００１８】
眼鏡開閉データメモリ部１１１は、眼鏡開閉データ１２１を入力する。眼鏡開閉データメモリ部１１１は、入力された眼鏡開閉データ１２１を記憶する。そして、眼鏡開閉データメモリ部１１１は、その記憶した眼鏡開閉データ１２４を眼鏡開口期間変換部１１２に出力する。
【００１９】
図２は、眼鏡開閉データメモリ部１１１に記憶される眼鏡開閉データ１２１の一例である。図２の様に、眼鏡開閉データ１２１が、左眼Open２１０、左眼Close２１１、右眼Open２１２、右眼Close２１３、左眼Open２１４のタイミングで到着した場合に、１Ｖ期間２２０、左眼開口期間２２１、右眼開口タイミング２２２、右眼開口期間２２３がそれぞれ記憶される。
【００２０】
眼鏡開口期間変換部１１２は、起動命令１２２が受信された場合に動作を開始する。眼鏡開口期間変換部１１２は、眼鏡開閉データ１２４を入力する。眼鏡開閉データ１２４は上述した１Ｖ期間２２０、左眼開口期間２２１、右眼開口タイミング２２２、右眼開口期間２２３である。眼鏡開口期間変換部１１２は、眼鏡開閉データ１２０の未受信期間が一定期間内の場合は、眼鏡開閉データ１２４を、眼鏡自走部１１３に送信する。眼鏡開口期間変換部１１２は、眼鏡開閉データ１２０の未受信期間が一定期間以上の場合は、左眼開口期間２２１と右眼開口期間２２３をより狭く変換し、眼鏡自走部１１３に送信する。なお、眼鏡開口期間変換部１１２の詳細な動作については、後述する。
【００２１】
眼鏡自走部１１３は、眼鏡開閉データ１２５を入力する。眼鏡自走部１１３は、上述した１Ｖ期間２２０、左眼開口期間２２１、右眼開口タイミング２２２、右眼開口期間２２３から、左眼Open(図示せず)、左眼Close(図示せず)、右眼Open(図示せず)、右眼Close(図示せず)、左眼Open(図示せず)信号を生成し、液晶シャッタ部１１４に送信する。
【００２２】
液晶シャッタ部１１４は、眼鏡開閉データ１２３か、眼鏡開閉データ１２６を選択入力する。眼鏡開閉データ受信確認部１１０は、眼鏡開閉データ１２０が受信状態と判断した場合は、液晶シャッタ部１１４は、眼鏡開閉データ１２３の入力を選択する。眼鏡開閉データ受信確認部１１０は、眼鏡開閉データ１２０が未受信状態と判断した場合は、液晶シャッタ部１１４は、眼鏡開閉データ１２６の入力を選択する。液晶シャッタ部は、眼鏡開閉データ１２３か、眼鏡開閉データ１２６の入力を受けて、左眼液晶シャッタ（図示せず）の開閉と、右眼液晶シャッタ（図示せず）の開閉を制御する。なお、上述したように、入力された眼鏡開閉データ１２０が誤りである場合も、眼鏡開閉データ受信確認部１１０は、眼鏡開閉データ１２０が未受信状態と判断した場合と同様に、液晶シャッタ部１１４は、眼鏡開閉データ１２６の入力を選択する。
【００２３】
以上のように構成された３Ｄテレビ用シャッタ眼鏡装置１０について、次に、その動作の詳細を説明する。まず、眼鏡開閉データ受信確認部１１０に入力される眼鏡開閉データ１２０は、液晶シャッタ部１０４の開閉を制御する信号で、例えば、左眼液晶シャッタオープン、左眼液晶シャッタクローズ、右眼液晶シャッタオープン、右眼液晶シャッタクローズを含んだ信号である。液晶シャッタ部１１４は、この左眼液晶シャッタオープン、左眼液晶シャッタクローズ、右眼液晶シャッタオープン、右眼液晶シャッタクローズ信号を受信し、左眼液晶シャッタ（図示せず）と、右眼液晶シャッタ（図示せず）の開閉を制御する。
【００２４】
３Ｄテレビ用シャッタ眼鏡装置１０に眼鏡開閉データ１２０が正常受信されている場合、液晶シャッタ部１１４は、眼鏡開閉データ１２０通りに左眼液晶シャッタ（図示せず）と右眼液晶シャッタ（図示せず）を開閉制御する。一方、３Ｄテレビ用シャッタ眼鏡装置１０に眼鏡開閉データ１２０が正常受信されてない場合は、液晶シャッタ部１１４は、眼鏡自走部１１３から眼鏡開閉データ１２６を入力し、左眼液晶シャッタ（図示せず）と右眼液晶シャッタ（図示せず）を開閉制御する。この、３Ｄテレビ用シャッタ眼鏡装置１０に眼鏡開閉データ１２０が正常受信の確認は、眼鏡開閉データ受信確認部１１０で行なう。
【００２５】
図３は、実施の形態１に係る３Ｄテレビ用シャッタ眼鏡装置１０の動作の１例を示したフローチャートである。ここで、眼鏡開口期間変換部１１２の動作の詳細な説明を行なう。まず、眼鏡開口期間変換部１１２は、３Ｄテレビ用シャッタ眼鏡装置１０に眼鏡開閉データ１２０が正常受信されてない期間(以下、未受信期間と記述)を計測する(ステップＳ３０１)。次に、眼鏡開口期間変換部１１２は、Ｓ３０１で計測した未受信期間がある一定期間を超えているかを判定する（ステップＳ３０２）。判定が偽（No）の場合、処理を終了する。一方、判定が真（Yes）の場合、後述するステップＳ３０３の処理を行う。
【００２６】
ステップＳ３０３において、眼鏡開口期間変換部１１２は、眼鏡開閉データメモリ部１１１に記憶された左眼開口期間２２１をより狭く変換し、後述するステップＳ３０４の処理を行う。ステップＳ３０４において、眼鏡開口期間変換部１１２は、眼鏡開閉データメモリ部１１１に記憶された右眼開口期間２２３をより狭く変換し、処理を終了する。
【００２７】
上述したように、本実施の形態に係る３Ｄテレビ用シャッタ眼鏡装置１０において、眼鏡開口期間変換部１１２は、眼鏡開閉データ１２０の未受信期間を計測し、その未受信期間がある一定以上の時に、左眼開口期間２２１と、右眼開口期間２２３をより狭く変換する。
【００２８】
以下では、本実施の形態における３Ｄテレビ用シャッタ眼鏡装置１０のさらに具体的な動作の１例を説明する。図４は、３Ｄテレビ（図示せず）の映像と本実施の形態に係る３Ｄテレビ用シャッタ眼鏡装置１０における液晶シャッタの開閉を示したものである。図４中のカッコ内の数値は、時間を示している。
【００２９】
３Ｄテレビ（図示せず）の右眼映像表示４０１の表示時に、右眼映像表示４０１と同期を合わせるように右眼Open４１１と右眼Close４１２信号を３Ｄテレビ（図示せず）から送信している。３Ｄテレビ用シャッタ眼鏡装置１０は、右眼Open４１１と右眼Close４１２を受信し右眼液晶シャッタ（図示せず）の開閉を制御している。３Ｄテレビ用シャッタ眼鏡装置１０は、眼鏡開閉データ１２０が受信時には、受信時４２０の動作タイミングで右眼液晶シャッタオープンを制御する。  
【００３０】
さらに、３Ｄテレビ用シャッタ眼鏡装置１０は、眼鏡開閉データ１２０未受信期間が１秒のときは、未受信期間１秒４３０の動作タイミングで右眼液晶シャッタオープンを制御する。図４では、眼鏡開閉データ１２０未受信期間が１秒の時に、３Ｄテレビ（図示せず）と３Ｄテレビ用シャッタ眼鏡装置１０のずれ幅を（１１Ｔ）と仮定している。
【００３１】
さらに、３Ｄテレビ用シャッタ眼鏡装置１０は、眼鏡開閉データ１２０未受信期間が１１秒かつ、眼鏡開閉期間変換部１１２の制御がない時、未受信期間１１秒４４０の動作タイミングで右眼液晶シャッタオープンを制御する。未受信期間１１秒４４０の右眼液晶シャッタオープンタイミングの右端（１１Ｔ）は、クロストーク期間で、右眼シャッタオープン時に左眼映像表示４０２が重畳し、画質品位を下げるものである。
【００３２】
一方、３Ｄテレビ用シャッタ眼鏡装置１０は、眼鏡開閉データ１２０未受信期間が１１秒かつ、眼鏡開閉期間変換部１１２の制御がある時、未受信期間１１秒４５０の動作タイミングで右眼液晶シャッタオープンを制御する。具体的には、眼鏡開閉期間変換部１１２が、右眼開口期間２２３を（８８０Ｔ）から（７７０Ｔ）へとより狭く変換する。本制御を施すことにより、クロストークを避けることが可能となる。
【００３３】
なお、図４では、眼鏡開閉データ１２０未受信期間が１秒の時に、３Ｄテレビ（図示せず）と３Ｄテレビ用シャッタ眼鏡装置１０のずれ幅を（１１Ｔ）と仮定した。図６に示すように、眼鏡開閉データ１２０未受信期間が１秒の時に、３Ｄテレビ（図示せず）と３Ｄテレビ用シャッタ眼鏡装置１０のずれ幅を（−１１Ｔ）の場合は、眼鏡開口期間変換部で、眼鏡開口タイミングを遅らせて、出力することも可能である。
【００３４】
また、図７に示すように、眼鏡開閉データ１２０未受信期間が１秒の時に、３Ｄテレビ（図示せず）と３Ｄテレビ用シャッタ眼鏡装置１０のずれ幅が（−１１Ｔ）か（１１Ｔ）となる場合でも、眼鏡開口タイミングを遅らす制御と、眼鏡開口期間をより狭くする制御を施すことにより、クロストークを避けることが出来ることも可能である。
【００３５】
また、上述した実施の形態においては、詳細に説明していないが、眼鏡開口期間変換部１１２では、眼鏡開閉データ１２０未受信期間が所定時間経過後に眼鏡開口期間を狭くする構成について説明したが、本願発明はこれに限定されるものではなく、眼鏡開閉データ１２０未受信期間に比例して、眼鏡開口期間を段階的に狭くする構成を採用することも可能である。これにより、急激に眼鏡開口期間が変更されることによるユーザーの違和感を防止することが可能になる。
【００３６】
また、上述した実施の形態においては、詳細に説明していないが、眼鏡開口期間変換部１１２において、眼鏡開閉データ１２０未受信期間が所定時間経過後に眼鏡開口期間を狭く設定した後、眼鏡開閉データ１２０を受信した場合には、受信した眼鏡開閉データ１２０に基づいて、液晶シャッタ部１１４の処理を行う構成も可能であるが、その他の構成として、眼鏡開閉データ１２０未受信期間に比例して、眼鏡開口期間を段階的に広くする構成を採用することも可能である。これにより、眼鏡開口期間が狭く設定されており輝度が下がっている場合に眼鏡開閉データ１２０により急激に眼鏡開口期間が広く設定されることにより輝度が上昇することを防止することが可能になり、ユーザーの違和感を防止することが可能になるものである。
【００３７】
また、上述した実施の形態においては、眼鏡開閉データ１２０未受信期間が所定時間経過後に眼鏡開口期間を狭く設定する構成について説明したが、本願発明はこれに限定されるものではなく、実際にクロストークが発生するか否かを予め判別し、クロストークが発生する場合にのみ、上述した眼鏡開口期間を調整する構成を採用することも可能である。これにより、クロストークが発生しない場合には、眼鏡開口期間を維持することが可能になり、輝度の低下を防止しつつ、クロストークが発生する場合には、眼鏡開口期間を狭くすることにより、クロストークの発生を防止することが可能になるものであり、表示される画面の輝度とクロストーク発生の防止を両立することが可能になるものである。
【００３８】
上記したように、本実施の形態に係る３Ｄテレビ用シャッタ眼鏡装置１０における、眼鏡開口期間変換部１１２は、眼鏡開閉データ１２０の未受信期間に応じて、眼鏡開口期間をより狭く変換し、クロストークを避けることが出来る。
【産業上の利用可能性】
【００３９】
本発明に係る３Ｄテレビ用シャッタ眼鏡装置は、眼鏡開閉データの未受信時期間が一定以上でもクロストークを避けることができ、画質品位を落とすことがなく極めて有用である。
【符号の説明】
【００４０】
１１０    眼鏡開閉データ受信確認部
１１１    眼鏡開閉データメモリ部
１１２    眼鏡開口期間変換部
１１３    眼鏡自走部
１１４    液晶シャッタ部
【図１】
2013165305.tif 000003
【図２】
2013165305.tif 000004
【図３】
2013165305.tif 000005
【図４】
2013165305.tif 000006
【図５】
2013165305.tif 000007
【図６】
2013165305.tif 000008
【図７】
2013165305.tif 000009